(57)【要約】      （修正有）【課題】オーディオ信号源の高周波帯域の音波出力能力を補う増設アクセサリを提供する。【解決手段】増設アクセサリ１００は、オーディオ信号源に接続されるのに適している。増設アクセサリ１００は、入力コネクタ１１０と、オーディオ処理モジュール１２０と、スピーカー１３０とを含む。入力コネクタ１１０は、オーディオ信号源に結合されるのに適し、オーディオ信号源から出力されたアナログオーディオ信号を受信する。オーディオ処理モジュール１２０は、入力コネクタ１１０に結合され、アナログオーディオ信号を処理する。スピーカー１３０は、オーディオ処理モジュール１２０に結合され、処理後のアナログオーディオ信号を音波に変換する。スピーカー１３０が出力した音波周波数帯域は、人の耳では聞こえにくい音波周波数帯域を含む。【選択図】図１
0003190877.tif 000002
【実用新案登録請求の範囲】
【請求項１】
オーディオ信号源に接続されるのに適した増設アクセサリであって、
前記オーディオ信号源に結合されるのに適し、前記オーディオ信号源から出力されたアナログオーディオ信号を受信する入力コネクタと、
前記入力コネクタに結合され、アナログオーディオ信号を処理するオーディオ処理モジュールと、
前記オーディオ処理モジュールに結合され、処理後のアナログオーディオ信号を音波に変換するスピーカーと
を含み、前記スピーカーから出力される音波周波数帯域が、人の耳では聞こえにくい音波周波数帯域を含む増設アクセサリ。
【請求項２】
前記入力コネクタに結合され、前記オーディオ信号源からのアナログオーディオ信号を出力する出力コネクタ
をさらに含む請求項１に記載の増設アクセサリ。
【請求項３】
前記オーディオ処理モジュールが、
前記入力コネクタに結合され、前記オーディオ信号源からのアナログオーディオ信号をデジタルオーディオ信号に変換するアナログ／デジタルコンバータと、
前記アナログ／デジタルコンバータに結合され、人の耳に聞こえにくい周波数帯域のデジタルオーディオ信号を保留するようにデジタルオーディオ信号をフィルタリングするバンドパスフィルターと、
前記バンドパスフィルターに結合され、フィルタリング後のデジタルオーディオ信号を増幅するアンプと、
前記スピーカーに結合され、増幅後のデジタルオーディオ信号をアナログオーディオ信号に変換して、前記スピーカーに出力するデジタル／アナログコンバータと
を含む請求項１に記載の増設アクセサリ。
【請求項４】
前記オーディオ信号源が、テレビである請求項１に記載の増設アクセサリ。
【請求項５】
前記オーディオ信号源に装着するのに適した保護ケース
をさらに含み、前記入力コネクタ、前記オーディオ処理モジュールおよび前記スピーカーが、前記保護ケースの中に組み込まれた請求項１に記載の増設アクセサリ。
【請求項６】
前記オーディオ処理モジュールが、
前記入力コネクタに結合され、前記オーディオ信号源からのアナログオーディオ信号をデジタルオーディオ信号に変換するアナログ／デジタルコンバータと、
前記アナログ／デジタルコンバータに結合され、周波数に基づいてデジタルオーディオ信号を分離する周波数スプリッタと、
前記周波数スプリッタに結合され、デジタルオーディオ信号を増幅するアンプと、
前記周波数スプリッタおよび前記アンプに結合され、異なる周波数のデジタルオーディオ信号を結合する周波数コンバイナと、
前記周波数コンバイナに結合され、増幅後のデジタルオーディオ信号をアナログオーディオ信号に変換して、前記スピーカーに出力するデジタル／アナログコンバータと
を含み、前記周波数スプリッタが、第１周波数範囲にある周波数のデジタルオーディオ信号を前記周波数コンバイナに直接送信し、前記周波数スプリッタが、第２周波数範囲にある周波数のデジタルオーディオ信号を前記アンプに送信するとともに、前記アンプを介して前記第２周波数範囲にある周波数のデジタルオーディオ信号を増幅し、前記第１周波数範囲が、０Ｈｚ〜１５０００Ｈｚであり、前記第２周波数範囲が、１５０００Ｈｚ〜２２０００Ｈｚである請求項５に記載の増設アクセサリ。
【請求項７】
前記オーディオ信号源が、スマートフォンまたはタブレットＰＣである請求項５に記載の増設アクセサリ。
【請求項８】
前記オーディオ信号源が、ディスプレイを有し、前記スピーカーの音波出力方向が、前記ディスプレイの映像投射方向に平行である請求項５に記載の増設アクセサリ。
【請求項９】
前記スピーカーから出力される音波の周波数帯域が、１５０００Ｈｚ〜２２０００Ｈｚを含む請求項１に記載の増設アクセサリ。
【請求項１０】
前記スピーカーから出力される音波の周波数帯域が、１５０００Ｈｚ、１８０００Ｈｚ、２００００Ｈｚまたは２２０００Ｈｚである請求項１に記載の増設アクセサリ。
【考案の詳細な説明】
【技術分野】
【０００１】
この考案は、増設アクセサリ（ｅｘｐａｎｓｉｏｎ  ａｃｃｅｓｓｏｒｙ）に関し、特に、高周波数音を出力することのできる増設アクセサリに関する。
【背景技術】
【０００２】
サウンドコード（ｓｏｕｎｄｃｏｄｅ）とは、特殊な符号化を行ったデータを人の耳に聞こえない高周波数音に埋め込んで発信する技術で、マイクで受信してシステム認識を行うと、サウンドコードに埋め込まれた情報を取得することができる。このサウンドコード技術により、あらゆる音楽や映画の音波にデータを同期させることができるため、音波を通して電子デバイス（例えば、スマートフォンまたはタブレットＰＣ）に各データを迅速に送ることができる。例を挙げて説明すると、ユーザーがテレビ番組を見ている時に、テレビ番組の音波がサウンドコード技術を使ってデータを同期させ、電子デバイスに送ることによって、電子デバイスは、対応するネットワークに接続して、ショッピングや投票、討論等の各種関連動作を行うことができる。
【考案の概要】
【考案が解決しようとする課題】
【０００３】
オーディオ信号源（例えば、テレビ、スマートフォン、タブレットＰＣ等）に備えつけられたスピーカーは、高周波数帯域の音波出力能力がない、または高周波数帯域の音波出力能力が悪い状況であるのに対し、この考案の増設アクセサリは、オーディオ信号源の高周波数帯域（つまり、人の耳に聞こえにくい周波数帯域）の音波出力能力を補って、サウンドコード技術をこのオーディオ信号源に応用できるようにするため、オーディオ信号源の付加価値を向上させることができる。
【考案の目的】
【０００４】
そこで、この考案の目的は、オーディオ信号源の高周波帯域の音波出力能力を補うための増設アクセサリを提供することにある。
【課題を解決するための手段】
【０００５】
この考案は、オーディオ信号源に接続するのに適した増設アクセサリを提供する。増設アクセサリは、入力コネクタと、オーディオ処理モジュールと、スピーカーとを含む。入力コネクタは、オーディオ信号源に結合されるのに適しており、オーディオ信号源から出力されたアナログオーディオ信号を受信する。オーディオ処理モジュールは、入力コネクタに結合され、アナログオーディオ信号を処理する。スピーカーは、オーディオ処理モジュールに結合され、処理後のアナログオーディオ信号を音波に変換する。スピーカーが出力した音波周波数帯域は、人の耳では聞こえにくい音波周波数帯域を含む。
【考案の効果】
【０００６】
以上のように、この考案の増設アクセサリは、オーディオ信号源の高周波数帯域（人の耳には聞こえにくい周波数帯域）の音波出力能力を補い、サウンドコード技術をこのオーディオ信号源に応用できるようにする。
【０００７】
この考案の上記および他の目的、特徴、および利点をより分かり易くするため、図面と併せた幾つかの実施形態を以下に説明する。
【図面の簡単な説明】
【０００８】
【図１】この考案の１つの実施形態に係る増設アクセサリをテレビに応用したラインアウトソケットを示したものである。
【図２】図１の増設アクセサリの回路ブロック図である。
【図３ａ】この考案の別の実施形態に係る増設アクセサリとスマートフォンを合体させる前を示したものである。
【図３ｂ】この考案の別の実施形態に係る増設アクセサリとスマートフォンを合体させた後を示したものである。
【図４】図３（ａ）の増設アクセサリの回路ブロック図である。
【考案を実施するための形態】
【０００９】
図１は、この考案の１つの実施形態に係る増設アクセサリをテレビに応用したラインアウト（ｌｉｎｅ  ｏｕｔ）ソケットを示したものである。図１を参照すると、本実施形態の増設アクセサリ１００は、例えば、テレビ５０等のオーディオ信号源に接続するのに適している。増設アクセサリ１００は、入力コネクタ１１０と、オーディオ処理モジュール１２０と、スピーカー１３０とを含む。入力コネクタ１１０は、例えば、テレビ５０のラインアウトソケット５２等のテレビ５０に結合されるのに適しており、テレビ５０が出力したアナログオーディオ信号を受信する。オーディオ処理モジュール１２０は、入力コネクタ１１０に結合され、アナログオーディオ信号を処理する。スピーカー１３０は、オーディオ処理モジュール１２０に結合され、処理後のアナログオーディオ信号を音波に変換する。スピーカー１３０が出力した音波の周波数帯域は、人の耳に聞こえにくい音波の周波数帯域、例えば、１５０００Ｈｚ〜２２０００Ｈｚを含む。１つの実施形態において、上述した出力の音波は、例えば、１５０００Ｈｚ、１８０００Ｈｚ、２００００Ｈｚ、２２０００Ｈｚの音波である。出力コネクタ１４０は、入力コネクタ１１０に結合され、テレビ５０からのアナログオーディオ信号を出力するため、ラインアウトソケット５２の本来の用途の代わりに用いることができる。
【００１０】
図２は、図１の増設アクセサリの回路ブロック図である。図１および図２を参照すると、オーディオ処理モジュール１２０は、アナログ／デジタルコンバータ１２２（Ａ／Ｄコンバータ）と、バンドパスフィルター（ｂａｎｄ  ｐａｓｓ  ｆｉｌｔｅｒ）１２４と、アンプ１２６と、デジタル／アナログコンバータ１２８（Ｄ／Ａコンバータ）とを含む。アナログ／デジタルコンバータ１２２は、入力コネクタ１１０に結合され、テレビ５０からのアナログオーディオ信号をデジタルオーディオ信号に変換する。バンドパスフィルター１２４は、デジタル／アナログコンバータ１２８に結合され、人の耳に聞こえにくい周波数帯域のデジタルオーディオ信号を保留するようにデジタルオーディオ信号をフィルタリングする。アンプ１２６は、バンドパスフィルター１２４に結合され、フィルタリング後のデジタルオーディオ信号を増幅する。デジタル／アナログコンバータ１２８は、アンプ１２６に結合され、増幅後のデジタルオーディオ信号をアナログオーディオ信号に変換して、スピーカー１３０に出力する。
【００１１】
図３（ａ）および図３（ｂ）は、それぞれ、この考案の別の実施形態に係る増設アクセサリとスマートフォンを合体させる前と後を示したものである。図３（ａ）および図３（ｂ）を参照すると、本実施形態の増設アクセサリ２００は、例えば、スマートフォン６０等のオーディオ信号源に接続するのに適している。増設アクセサリ２００は、入力コネクタ２１０と、オーディオ処理モジュール２２０と、スピーカー２３０と、保護ケース２５０とを含む。入力コネクタ２１０は、スマートフォン６０のオーディオ出力ソケット６２に結合されるのに適しており、スマートフォン６０から出力されたアナログオーディオ信号を受信する。オーディオ処理モジュール２２０は、入力コネクタ２１０に結合され、アナログオーディオ信号を処理する。スピーカー２３０は、オーディオ処理モジュール２２０に結合され、処理後のアナログオーディオ信号を音波に変換する。スピーカー２３０が出力した音波の周波数帯域は、人の耳に聞こえにくい音波の周波数帯域、例えば、１５０００Ｈｚ〜２２０００Ｈｚを含む。１つの実施形態において、上述した出力の音波は、例えば、１５０００Ｈｚ、１８０００Ｈｚ、２００００Ｈｚ、２２０００Ｈｚの音波である。また、スピーカー２３０が出力する音波の周波数帯域は、さらに、人の耳に聞こえやすい音波の周波数帯、例えば、１５０００Ｈｚ以下の音波の周波数帯も含む。保護ケース２５０は、スマートフォン６０に装着されるのに適しており、保護ケース２５０の中に入力コネクタ２１０、オーディオ処理モジュール２２０およびスピーカー２３０が組み込まれる。保護ケース２５０の形態は、ソフトケースまたはハードケースであってもよい。本実施形態において、スマートフォン６０は、ディスプレイ６４を有し、スピーカー２３０の音波出力方向Ｄ１は、ディスプレイ６４の映像投射方向Ｄ２に平行である。別の図示していない実施形態において、上述したスマートフォン６０をタブレットＰＣに置き換えて、オーディオ信号源としてもよい。つまり、本実施形態の増設アクセサリ２００は、タブレットＰＣにも応用できる。
【００１２】
図４は、図３（ａ）の増設アクセサリの回路ブロック図である。図３（ｂ）および図４を参照すると、本実施形態において、オーディオ処理モジュール２２０は、アナログ／デジタルコンバータ２２２（Ａ／Ｄコンバータ）と、周波数スプリッタ２２５と、アンプ２２６と、周波数コンバイナ２２７と、デジタル／アナログコンバータ２２８（Ｄ／Ａコンバータ）とを含む。アナログ／デジタルコンバータ２２２は、入力コネクタ２１０に結合され、スマートフォン６０からのアナログオーディオ信号をデジタルオーディオ信号に変換する。周波数スプリッタ２２５は、アナログ／デジタルコンバータ２２２に結合され、周波数に基づいてデジタルオーディオ信号を分離する。アンプ２２６は、周波数スプリッタ２２５に結合され、デジタルオーディオ信号を増幅する。周波数コンバイナ２２７は、周波数スプリッタ２２５およびアンプ２２６に結合され、異なる周波数のデジタルオーディオ信号を結合する。周波数スプリッタ２２５は、周波数が第１周波数範囲（例えば０〜１５０００Ｈｚ）にあるデジタルオーディオ信号を周波数コンバイナ２２７に直接送信する。周波数スプリッタ２２５は、周波数が第２周波数範囲（例えば１５０００〜２２０００Ｈｚ）にあるデジタルオーディオ信号をアンプ２２６に送信するとともに、アンプ２２６を介して、周波数が第２周波数範囲にあるデジタルオーディオ信号を増幅する。デジタル／アナログコンバータ２２８は、周波数コンバイナ２２７に結合され、増幅後のデジタルオーディオ信号をアナログオーディオ信号に変換して、スピーカー２３０に出力する。図２の実施形態のオーディオ処理モジュール１２０と異なり、図４の実施形態のオーディオ処理モジュール２２０は、バンドパスフィルター１２４を省略し、全周波数帯域のアナログオーディオ信号を出力する。したがって、図１の増設アクセサリ１００がサウンドコードを有する高周波数帯域の音波しか生成できないのとは異なり、増設アクセサリ２００は、サウンドコードを有する高周波数帯域の音波を生成できるだけでなく、スマートフォン６０が最初に出力したアナログオーディオ信号を音波に変換することもできる。
【００１３】
以上のように、オーディオ信号源（例えば、テレビ、スマートフォン、タブレットＰＣ等）に備えつけられたスピーカーは、高周波数帯域の音波出力能力がない、または高周波数帯域の音波出力能力が悪い状況であるのに対し、この考案の増設アクセサリは、オーディオ信号源の高周波数帯域（つまり、人の耳に聞こえにくい周波数帯域）の音波出力能力を補って、サウンドコード技術をこのオーディオ信号源に応用できるようにするため、オーディオ信号源の付加価値を向上させることができる。
【００１４】
以上のごとく、この考案を実施形態により開示したが、もとより、この考案を限定するためのものではなく、当業者であれば容易に理解できるように、この考案の技術思想の範囲内において、適当な変更ならびに修正が当然なされうるものであるから、その実用新案権保護の範囲は、実用新案請求の範囲および、それと均等な領域を基準として定められなければならない。
【符号の説明】
【００１５】
５０  テレビ
５２  ラインアウトソケット
６０  スマートフォン
６２  オーディオアウトソケット
６４  ディスプレイ
１００、２００  増設アクセサリ
１１０、２１０  入力コネクタ
１２０、２２０  オーディオ処理モジュール
１２２、２２２  アナログ／デジタルコンバータ
１２４  バンドパスフィルター
１２６、２２６  アンプ
１２８、２２８  デジタル／アナログコンバータ
１３０、２３０  スピーカー
１４０  出力コネクタ
２２５  周波数スプリッタ
２２７  周波数コンバイナ
２５０  保護ケース
Ｄ１  音波出力方向
Ｄ２  映像投射方向
【図１】
0003190877.tif 000003
【図２】
0003190877.tif 000004
【図３ａ】
0003190877.tif 000005
【図３ｂ】
0003190877.tif 000006
【図４】
0003190877.tif 000007